(57)【要約】【課題】軽量で簡単に設置することができる止水装置を提供する。【解決手段】載置面の上に立設された壁面の開口部を止水する斜板止水装置であって、水の進行方向へ倒れて載置面に対して斜めに置かれる止水板と、前記止水板の下端と水密に接続される底板と、前記止水板の左右の端部で水密に接続される側板と、該斜板止水装置の左右の端部と前記壁面及び該斜板止水装置の底部と載置面との間に装着されるシール材と、を備える。【選択図】図１
2019173381.tif 000002
【特許請求の範囲】
【請求項１】
載置面に立設された壁面の開口部を止水する止水方法であって、
水の進行方向へ倒れて前記載置面に対して斜めに置かれる止水板を有する斜板止水装置を前記開口部の間へ展開し、
前記斜板止水装置の左右の端部と前記壁面が水密になるように水平方向へ加圧するとともに、
前記斜板止水装置の底部と前記載置面との間が水密になるように前記載置面に向けて鉛直方向へ加圧して前記開口部の止水を行うことを特徴とする止水方法。
【請求項２】
前記水平方向の加圧及び前記鉛直方向の加圧が止水された水の圧力を利用するものであることを特徴とする請求項１に記載の止水方法。
【請求項３】
前記斜板止水装置の左右の端部と前記壁面及び前記斜板止水装置の底部と前記載置面の間にシール材が設けられることを特徴とする請求項１に記載の止水方法。
【請求項４】
前記シール材が、弾性を有する独泡材又は内部に気体を充填された弾性を有する中空材で構成されることを特徴とする請求項３に記載の止水方法。
【請求項５】
載置面の上に立設された壁面の開口部を止水する斜板止水装置であって、
水の進行方向へ倒れて前記載置面に対して斜めに置かれる止水板と、
前記止水板の下端と水密に接続される底板と、
前記止水板の左右の端部で水密に接続される側板と、
前記斜板止水装置の左右の端部と前記壁面及び前記斜板止水装置の底部と前記載置面との間に装着されるシール材と、
を備えることを特徴とする斜板止水装置。
【請求項６】
前記止水板を背面で支える保持部が備えられていることを特徴とする請求項５に記載の斜板止水装置。
【請求項７】
前記斜板止水装置を前記壁面へ向けて加圧する水平加圧部材が備えられることを特徴とする請求項５又は６に記載の斜板止水装置。
【請求項８】
前記シール材が、弾性を有する独泡材又は内部に気体を充填された弾性を有する中空材で構成されることを特徴とする請求項５乃至７何れかに記載の斜板止水装置。
【発明の詳細な説明】
【技術分野】
【０００１】
本発明は、建物の外から流れ込む水を止水する斜板止水装置に関する。
【背景技術】
【０００２】
従来、直立固定された止水枠板と、この止水枠板を被覆する防水布と、を備えた洪水防止用止水板が提案されている（例えば、特許文献１参照）。特許文献１に記載された従来の止水装置は、洪水時に土嚢の代わりに用いられ、土嚢よりも容易に設置される。このような止水装置では、防水布のうち床に沿った部分（底面止水部）の上側を水が流れ、直立した止水枠板に沿って設けられた部分（壁面止水部）によって止水される。
【先行技術文献】
【特許文献】
【０００３】
【特許文献１】特開２００４−２１８４１５号公報
【発明の概要】
【発明が解決しようとする課題】
【０００４】
しかしながら、特許文献１に記載された従来の洪水防止用止水板では、構成部材が多く、設置に手間がかかるうえに、非使用時に部材をしまっておくために大きな貯蔵施設が必要になる。
【０００５】
また多くの部材を用いる止水装置は重量が大きくなり設置も難しいという問題点がある。したがって、本発明の目的は、軽量で簡単に設置することができる止水装置を提供することにある。
【課題を解決するための手段】
【０００６】
本発明の止水方法は、載置面に立設された壁面の開口部を止水する止水方法であって、水の進行方向へ倒れて前記載置面に対して斜めに置かれる止水板を有する斜板止水装置を前記開口部の間へ展開し、前記斜板止水装置の左右の端部と前記壁面が水密になるように水平方向へ加圧するとともに、前記斜板止水装置の底部と前記載置面との間が水密になるように前記載置面に向けて鉛直方向へ加圧して前記開口部の止水を行うことを特徴とする。
【０００７】
止水板が床などの載置面に対して、水の進行方向へ倒れて、後方へ斜めになっているので止水板に加わる水圧の分力が水平方向に壁又は柱へ掛かるとともに下方へ掛かり止水装置を下方へ加圧する。水圧により下方への加圧により止水装置の底部と床の間が水密になる。また、水圧により壁または柱に接する止水装置の両端が水密になるように水平方向へ加圧される。水圧を利用して水平方向及び鉛直方向への加圧を行う。
【０００８】
本発明の止水方法は、前記斜板止水装置の左右の端部と前記壁面及び前記斜板止水装置の底部と前記床の間にシール材が設けられることを特徴とする。
【０００９】
斜板止水装置の左右の両端と壁面及び前記斜板止水装置の底部と前記床の間にシール材が設けられるので効果的に止水することができる。
【００１０】
本発明の止水方法は、前記シール材が、弾性を有する独泡材又は内部に気体を充填された弾性を有する中空材で構成されることを特徴とする。
【００１１】
シール材が、弾性を有する独泡材又は内部に気体を充填された弾性を有する中空材で構成されるので床や壁又は柱の凹凸になじんで水密な構造を提供する。
【００１２】
本発明の斜板止水装置は、載置面の上に立設された壁面の開口部を止水する斜板止水装置であって、水の進行方向へ倒れて前記載置面に対して斜めに置かれる止水板と、前記止水板の下端と水密に接続される底板と、前記止水板の左右の端部で水密に接続される側板と、該斜板止水装置の左右の端部と前記壁面及び該斜板止水装置の底部と載置面との間に装着されるシール材と、を備えることを特徴とする。
【００１３】
止水板の下端と水密に接続される底板と、前記止水板の左右の端部で水密に接続される側板と、斜板止水装置の左右の端部と壁面及び斜板止水装置の底部と載置面との間に装着されるシール材と、を備える斜板止水装置において、水の進行方向へ倒れて前記載置面に対して斜めに置かれる止水板に加わる水圧は水平方向と鉛直方向の成分を有する。斜板止水装置の左右の両端と壁面の間のシール材及び斜板止水装置の底面と床や地面などの載置面との間のシール材に圧力が加わる。圧力の加わったシール材により斜板止水装置の左右の両端と壁面及び斜板止水装置の底面と床面や地面などの載置面との間が水密になる。
【００１４】
本発明の斜板止水装置は、止水板を背面で支える保持部が備えられていることを特徴とする。
【００１５】
水圧を受ける止水板が倒れない様に止水板の背面を保持部が支える。
【００１６】
本発明の斜板止水装置は、斜板止水装置を前記壁または柱へ向けて加圧する水平加圧部材が備えられることを特徴とする。
【００１７】
斜めに置かれた止水板に加わる水圧の水平分力では斜板止水装置を壁面へ押し付ける力が不足な場合はゴムベルトやロープなどの加圧部材により斜板止水装置を壁面へ加圧してシール材による水密な状態を確保する。
【００１８】
本発明の斜板止水装置は、シール材が弾性を有する独泡材又は内部に気体を充填された弾性を有する中空材で構成されることを特徴とする。
【００１９】
シール材が、独泡材又は内部に気体を充填された弾性を有する中空材で構成されるので床や壁又は柱の凹凸になじんで高い止水効果を得ることができる。
【図面の簡単な説明】
【００２０】
【図１】斜板止水装置の前面（Ａ）と背面（Ｂ）から見た斜視図である。
【図２】保持部材の別の実施例である。
【図３】扉の前に設置された斜板止水装置の（Ａ）正面図、（Ｂ）側面図である。
【図４】扉の開閉が可能な斜板止水装置の設置の様子を示す説明図である。
【図５】斜板止水装置に掛かる水圧についての説明図である。
【発明を実施するための形態】
【００２１】
以下、本発明の実施形態を図面に基づいて説明する。図１に示す本実施形態の斜板止水装置１０は、建物へ向かう水を止水して建物内部の浸水を防止するために、床面や地面などの載置面に立設される壁面の開口部、具体的には壁や柱の間の開口部を止水するように水平方向へ展開されて設置される。図1の左側が水の侵入方向で斜板止水装置１０の前方になり斜めの止水板を支える保持部３が背面又は後方に位置する。
【００２２】
図１に示す斜板止水装置１０は地面や床の面に対して水の進行方向へ倒れた斜めに置かれた止水板１と、これを背面から支える保持部材３で構成される保持部と、止水板１の下端と水密に接続される底板２と、止水板１の左右の端部で水密に接続される側板５と、斜板止水装置の左右の端部と壁面及び斜板止水装置の底部と載置面との間に装着されるシール材と、を備えている。また、本実施形態において、斜板止水装置の左右方向を幅方向とし、鉛直方向を上下方向とし、幅方向及び上下方向に略直交する方向を奥行方向とする。
【００２３】
図１に示す斜板止水装置１０は全体として箱型に構成され、前方には２枚の側板５と接続される鉛直板４が設けられ止水装置の強度を増している。これに鉛直板４の部は底板２との間に隙間が設けられ外部からの水はこの隙間から斜板止水装置１０の内部へ入り止水板１により止水される。鉛直板４の高さは任意で棒状の部材でもよく強度的に問題が無ければ省くことも可能である。
【００２４】
斜板止水装置１０を構成する板はベニヤ材やこれに防水用の塗装を施した材料が好適である。板材に防水用の塗装をすることで耐久性が増すことができる。また、止水板１、底板２、側板５を一体としてプラスチックなどで成型してもよい。
【００２５】
使用する際に水平方向へ展開される斜板止水装置は、その両端部を開口部を形成する柱や壁に当たるように設置される。斜板止水装置の水平方向の両端部及び底部にはシール材６が固着される。
【００２６】
斜板止水装置の左右の両端は壁又は柱にシール材６を介して当たることで、後方への移動を阻止される。また底板にもシール材６が設けられ載置面である床面あるいは地面との間を水密に保って止水する。シール材は弾性を有する独泡材又は内部に気体を充填された弾性を有する中空材が好適である。
【００２７】
図２は保持部の実施例の別形態を示す。図２（Ａ）は保持部として止水板の背面に沿って縦方向へ角材などの補強材をあてがいこれらの補強材の端部を側板に固定された水平方向の別部材で支える。  また、図２（Ｂ）では保持部として斜めに置かれる止水板の背面を底板へ固定された三角板で支えている。
【００２８】
図３を用いて扉の前に置かれる斜板止水装置１０の設置方法について説明する。斜板止水装置１０は壁又は柱に両端を固定された加圧部材であるロープやゴムベルト２５で、水平方向へ加圧され側板５と壁又は柱との間の置かれるシール材６により側板５と壁又は柱との間が水密に保たれる。
【００２９】
加圧部材２５はその端部を壁又は柱に固着される係止部材２０に接続されて固定される。係止部材２０は壁又は柱へ接着や鋲止めされて固定される。
【００３０】
加圧部材２５は繊維を撚ったロープや弾性を有するゴムベルトが好適である。また固定長のロープの間へばねなどの弾性体を挟んでもよい。
【００３１】
斜板止水装置は、床や地面の上に設置されるのでその下端は床や地面にシール材６を介して接する。シール材６はその止水性能を確保するために加圧して床面や地面の凹凸を塞いで止水することが必要である。止水装置１０と床面や地面との間に置かれたシール材６には斜板止水装置の自重と斜めの止水板に加わる水圧の下方への分圧が加わる。その圧力がシール材の圧縮に十分な大きさであれば下方への加圧は不要である。しかしながら、下方への圧力が不足する場合には、図５に示す重り５０として加圧用水タンクなどを用いる。水タンクは底板の上に置いたり止水板に係止する係止部を設けてこれを止水板１の上端に掛けて所要の下方圧力を得ることができる。
【００３２】
図４に示す斜板止水装置１１は側板の前後方向の寸法を大きく取ることで止水された状態でドアの開閉が可能な状態にできる。側板５に側板延長部５２を設け側板の前後方向の寸法を大きく取って斜板止水装置１１が設置された状態で扉の開閉が可能に構成する。側板５と側板延長部５２との間は蝶番などで接続して折り畳み可能に構成する。また側板５と側板延長部５２との間を水密にするために止水用のテープなどを貼ることが好適である。
【００３３】
次に、図５を用いて、止水板へ掛かる水圧について説明をする。水圧は止水板の水につかっている部分に対し深さに応じた水圧Ｐｍを止水板へ直角に加える。
【００３４】
水圧Ｐｍは水圧を受ける部材の面に対して直角の力Ｆｍを加える。止水板１へ加わる力Ｆｍは水平方向の力Ｆｈと鉛直方向の力Ｆｐへ分解することができる。本発明の斜板止水装置は斜めの止水板への加わる水圧を水平方向と垂直方向へ分解してシール材の加圧に利用する。
【００３５】
止水板１に水平に加わる力Ｆｈによって、止水板１は後方へ押されるので側板５と壁又は柱との間に置かれるシール材６を圧縮する。ところがシール材と側板あるいはシール材と壁面へ水が出入りすると水圧が加わり斜板止水装置１０を壁又は柱から離すように作用するので水が出入りする場合は斜板止水装置１０を水平加圧部材２５で壁又は柱へ押し付けることが好ましい。
【００３６】
斜板止水装置１０の底板２と床面又は地面との間には止水用にシール材６を用いる。シール材が床面又は地面の凹凸を吸収して水密になるにはシール材を所定の圧力で加圧する必要がある。斜板止水装置１０と載置面との間には水圧Ｐｂが掛かっており水圧は等方性なので斜板止水装置１０と載置面との間に侵入した水は斜板止水装置１０を上へ持ち上げることになる。その意味で水９に接する斜板止水装置１０の最前面の部分の水密状態が重要になる。
【００３７】
底板２と床面又は地面との間のシール材６には、斜板止水装置１０の自重による力Ｆｓ，水圧による力Ｆｍの下方への分力Ｆｐが加わる。自重による力Ｆｓ，水圧による力Ｆｍでシール材６への加圧が不足する場合は、重り５０による下方への力Ｆｗを加える。
【００３８】
斜板止水装置１０は床面又は地面に対して後方へ傾く止水板１を用いることで水の圧力による下方への分力Ｆｐにより底板と床面又は地面との間に挟まれたシール材を加圧することができるので簡便に止水の効果を得ることができる。
【００３９】
斜板止水装置の撤去は、設置と逆の手順で撤去されればよい。ロープで加圧している場合はロープを外し、下方への加圧に重りを用いている場合は重りを除去する。側板に延長側板５２が付いている場合は延長側板５２を折りたたんで収納する。
【００４０】
なお、本発明は、前記実施形態に限定されるものではなく、本発明の目的が達成できる他の構成等を含み、以下に示すような変形等も本発明に含まれる。
【００４１】
また、前記実施形態では、シール材６０として独立気泡の柔軟な材料、弾性を有する独包材や内部に気体を充填された弾性を有する中空材を用いたが、ポリブテン樹脂及び合成樹脂接着剤を基材とするパテでも良い。シール材６０は、加圧されることで変形して対象物に密着するとともに、変形後の形状を維持するような性質を有していればよく、例えば、軟性を有する（硬化剤を含まない）その他の樹脂粘土等であってもよいし、発泡ウレタン等の発泡性の部材であってもよい。即ち、止水材の床に接する面に沿うようにスプレーによって発泡ウレタンを設け、そこへ止水装置を載せて止水手段としてもよい。
【００４２】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４３】
１  止水板
２  底板
３  保持部（保持部材）
４  前板
５  側板
６  シール材
８  載置面（床面又は地面）
９  水
１０  斜板止水装置
１１  斜板止水装置
２０  係止部材
２５  加圧部材であるロープ
３０  扉
４０  壁又は柱
５０  下方加圧用重り
５９  側板と延長側板の接続部
【図１】
2019173381.tif 000003
【図２】
2019173381.tif 000004
【図３】
2019173381.tif 000005
【図４】
2019173381.tif 000006
【図５】
2019173381.tif 000007